(57)【要約】【課題】  セルロイド板などを使用したゴト行為を防止する。【解決手段】  第２メダルセンサがオフになったときにフラグ記憶部を参照する。フラグ記憶部にフラグデータが書き込まれている場合にはエラー処理を行い、遊技を行うことが不可能な状態にする。フラグ記憶部にフラグデータが書き込まれていない場合には、フラグデータをフラグ記憶部に書き込む。第３メダルセンサがオンになったときに、フラグ記憶部に書き込まれているフラグデータを消去し、遊技を有効化する。【選択図】        図１８
2005177315.tif 000002
【特許請求の範囲】
【請求項１】
メダルが投入されるメダル投入口と、
前記メダル投入口から投入されたメダルを貯留タンクに案内する案内通路で、メダルが通過したことを検出する上流側通過検出センサと、
前記案内通路の前記上流側通過検出センサよりも下流側の位置に設けられ、メダルが通過したことを検出する下流側通過検出センサと、
メダルが通過したことを示すフラグデータを記憶するフラグデータ記憶手段と、
前記上流側通過検出センサがメダルの検出を終了した場合に、前記フラグデータ記憶手段に前記フラグデータを書き込むとともに、前記下流側通過検出センサがメダルの検出を開始又は終了した場合に、前記フラグデータ記憶手段に記録されている前記フラグデータを消去するフラグ記録手段とを設けたことを特徴とする遊技機。
【請求項２】
前記上流側通過検出センサと前記下流側通過検出センサとは、前記案内通路の幅方向において互いに反対側の端部に位置するように配置されていることを特徴とする請求項１記載の遊技機。
【請求項３】
前記案内通路を複数のメダルが連なって通過するようにメダルが投入された場合、前記上流側通過検出センサが、後続して投入されたメダルの検出を終了する前に、前記下流側通過検出センサが、先行して投入されたメダルの検出を終了又は開始する関係となる位置に、前記上流側通過検出センサ及び前記下流側通過検出センサを配置したことを特徴とする請求項１又は２記載の遊技機。
【請求項４】
前記下流側通過検出センサは複数のセンサから構成され、複数のセンサのうちのいずれかがメダルの検出を開始又は終了した場合に、前記フラグ記録手段はフラグデータを消去することを特徴とする請求項１又は２記載の遊技機。
【請求項５】
前記案内通路を複数のメダルが連なって通過するようにメダルが投入された場合、前記上流側通過検出センサが、後続して投入されたメダルの検出を終了する前に、前記下流側通過検出センサを構成する複数のセンサのうちのいずれかが、先行して投入されたメダルの検出を終了又は開始する関係となる位置に、前記上流側通過検出センサ及び前記下流側通過検出センサを配置したことを特徴とする請求項４記載の遊技機。
【請求項６】
前記案内通路を、投入されたメダルが正規なメダルか否かを判定するメダルセレクターに形成された第１メダル通路と、前記メダルセレクターに隣接して配置され、貯留タンクに向けて屈曲したメダル案内部材に形成された第２メダル通路とから構成し、前記第１メダル通路に前記上流側通過検出センサを設け、前記第２メダル通路に前記下流側通過検出センサを設けたことを特徴とする請求項１〜５記載の遊技機。
【発明の詳細な説明】
【技術分野】
【０００１】
本発明は、メダルが不正に投入されることを防止する遊技機に関するものである。
【背景技術】
【０００２】
スロットマシンでは、一般的にメダル投入口から１〜３枚のメダルを投入して遊技を実行するようになっている。投入されたメダルは、スロットマシン内に設けられたメダルセレクタのメダル通路を転動して、貯留タンクに貯留される。その際に、メダル通路に所定の間隔を空けて配置された２つの光電センサによって、メダルをメダルの通過方向に従って順次に検出することで、メダルの枚数の計数を行っている。
【発明の開示】
【発明が解決しようとする課題】
【０００３】
ところで、遊技を行う際に、正規に遊技を行う行為とは異なる不正な行為を行うことによってスロットマシンを誤動作させ、メダルの投入を行う、あるいは、メダルの払い出しを行わせるなどの、いわゆるゴト行為が行われることがある。ゴト行為によってスロットマシンを誤動作させてメダルの払い出しを行わせる方法としては、例えば、実際にメダルを投入せずに、セルロイドなどで形成された長い薄板をメダル投入口から挿入し、薄板を往復移動させることによって光電センサの検出を行わせる方法がある。この方法では、メダル通路より幅が狭いセルロイド板をメダル投入口よりメダル通路に挿入し、２個の光電センサの光路をセルロイド板で順次に遮蔽した後に、まずメダル投入口から見て上流側の光電センサの光路を開放し、次に下流側の光電センサの光路を開放させた後に、これら２つの光電センサの光路を再び遮蔽しないようにセルロイド板を引き抜くものである。
【０００４】
本発明は、上記問題点を解決するためになされたものであり、セルロイド板などを使用したゴト行為を防止できる遊技機を提供することを目的とする。
【課題を解決するための手段】
【０００５】
本発明の遊技機は、メダルが投入されるメダル投入口と、前記メダル投入口から投入されたメダルを貯留タンクに案内する案内通路で、メダルが通過したことを検出する上流側通過検出センサと、前記案内通路の前記上流側通過検出センサよりも下流側の位置に設けられ、メダルが通過したことを検出する下流側通過検出センサと、メダルが通過したことを示すフラグデータを記憶するフラグデータ記憶手段と、前記上流側通過検出センサがメダルの検出を終了した場合に、前記フラグデータ記憶手段に前記フラグデータを書き込むとともに、前記下流側通過検出センサがメダルの検出を開始又は終了した場合に、前記フラグデータ記憶手段に記録されている前記フラグデータを消去するフラグ記録手段とを設けたものである。
【０００６】
また、前記上流側通過検出センサと前記下流側通過検出センサとは、前記案内通路の幅方向において互いに反対側の端部に位置するように配置されていることが好ましい。
【０００７】
また、前記案内通路を複数のメダルが連なって通過するようにメダルが投入された場合、前記上流側通過検出センサが、後続して投入されたメダルの検出を終了する前に、前記下流側通過検出センサが、先行して投入されたメダルの検出を終了又は開始する関係となる位置に、前記上流側通過検出センサ及び前記下流側通過検出センサを配置することが好ましい。
【０００８】
また、前記下流側通過検出センサは複数のセンサから構成され、複数のセンサのうちのいずれかがメダルの検出を開始又は終了した場合に、前記フラグ制御手段はフラグデータを消去することが好ましい。
【０００９】
また、前記案内通路を複数のメダルが連なって通過するようにメダルが投入された場合、前記上流側通過検出センサが、後続して投入されたメダルの検出を終了する前に、前記下流側通過検出センサを構成する複数のセンサのうちのいずれかが、先行して投入されたメダルの検出を終了又は開始する関係となる位置に、前記上流側通過検出センサ及び前記下流側通過検出センサを配置することが好ましい。
【００１０】
また、前記案内通路を、投入されたメダルが正規なメダルか否かを判定するメダルセレクターに形成された第１メダル通路と、前記メダルセレクターに隣接して配置され、貯留タンクに向けて屈曲したメダル案内部材に形成された第２メダル通路とから構成し、前記第１メダル通路に前記上流側通過検出センサを設け、前記第２メダル通路に前記下流側通過検出センサを設けることが好ましい。
【発明の効果】
【００１１】
本発明の遊技機は、上流側通過検出センサがメダルの検出を終了した場合に、フラグデータ記憶手段にフラグデータを書き込むとともに、前記案内通路の前記上流側通過検出センサよりも下流側の位置に設けられた下流側通過検出センサがメダルの検出を開始又は終了した場合に、フラグデータ記憶手段に記録されているフラグデータを消去するので、例えばセルロイド板を用いてゴト行為を行う場合、セルロイド板に往復移動以外の動きを加えなければならないため、ゴト行為を行う際の手順が複雑になり、セルロイド板などを使用したゴト行為を確実に防止できる。
【００１２】
また、上流側通過検出センサと下流側通過検出センサとは、案内通路の幅方向において互いに反対側の端部に位置するように配置されているので、例えばセルロイド板を用いてゴト行為を行う場合、セルロイド板に往復移動以外の動きを加えなければならないため、ゴト行為を行う際の手順が複雑になり、セルロイド板などを使用したゴト行為を確実に防止できる。
【００１３】
また、案内通路を複数のメダルが連なって通過するようにメダルが投入された場合、上流側通過検出センサが、後続して投入されたメダルの検出を終了する前に、下流側通過検出センサが、先行して投入されたメダルの検出を終了又は開始する関係となる位置に、上流側通過検出センサ及び下流側通過検出センサを配置したので、複数のメダルが連なって通過しても、それぞれのメダルごとにフラグデータの記録及び消去をすることが可能になり、複数のメダルを確実に検出することができる。
【００１４】
また、下流側通過検出センサは複数のセンサから構成され、複数のセンサのうちのいずれかがメダルの検出を開始又は終了した場合に、フラグデータを消去するので、例えばセルロイド板を用いてゴト行為を行う場合、セルロイド板に往復移動以外の動きを加え、さらに、遮蔽するセンサの数が増えるため、ゴト行為を行う際の手順が複雑になり、セルロイド板などを使用したゴト行為を確実に防止できる。
【００１５】
また、案内通路を複数のメダルが連なって通過するようにメダルが投入された場合、上流側通過検出センサが、後続して投入されたメダルの検出を終了する前に、下流側通過検出センサを構成する複数のセンサのうちのいずれかが、先行して投入されたメダルの検出を終了又は開始する関係となる位置に、上流側通過検出センサ及び下流側通過検出センサを配置したので、複数のメダルが連なって通過しても、それぞれのメダルごとにフラグデータの記録及び消去をすることが可能になり、複数のメダルを確実に検出することができる。
【００１６】
また、案内通路を、投入されたメダルが正規なメダルか否かを判定するメダルセレクターに形成された第１メダル通路と、メダルセレクターに隣接して配置され、貯留タンクに向けて屈曲したメダル案内部材に形成された第２メダル通路とから構成し、第１メダル通路に上流側通過検出センサを設け、第２メダル通路に下流側通過検出センサを設けたので、例えば、従来のスロットマシンでメダルセレクターにメダルの通過を検出するセンサを設けている場合、これを上流側通過検出センサとすれば、従来のメダル案内部材を下流側通過検出センサを設けたメダル案内部材に交換するだけで、本発明を構成することができるので、本発明を遊技機に適用する際のコストの低減を図ることができる。
【発明を実施するための最良の形態】
【００１７】
図１に示すように、スロットマシン１０の前面には、表示窓１１が設けられた前面扉１２が設けられている。表示窓１１の奥には、第１〜第３リール１３ａ〜１３ｃが回転自在に組み込まれたリールユニットが配設されている（図２参照）。表示窓１１の下方の部分には、ＭＡＸベットボタン１５、１ベットボタン１６、ストップボタン１７ａ〜１７ｃ、スタートレバー１８、ペイアウトボタン１９等の各種の操作ボタンの他に、メダルを投入するメダル投入口２０が設けられている。なお、上記操作ボタンの機能については周知であるため、説明を省略する。前面扉１２の下部には、スロットマシン１０で遊技を行って当選役が入賞した場合に、メダルの払い出しを行うためのメダル払出し口２２及びメダル受け皿２３と、遊技中に音楽や音声を発するスピーカ２４が設けられている。
【００１８】
第１〜第３リール１３ａ〜１３ｃの外周には複数種類の絵柄が一定ピッチで配列され、第１〜第３リール１３ａ〜１３ｃが停止した状態では、表示窓１１を通して１リール当たり３個の絵柄が観察可能となる。これにより、各リールの絵柄を１個ずつ組み合わせた直線状の入賞有効ラインが横３本、斜め２本の合計５本が設定される。遊技開始に先立ってメダル投入口２０から１枚のメダルを投入したときには、中央横１本の入賞有効ラインが有効化され、２枚では横３本、３枚ではさらに斜め２本を加えた５本の入賞有効ラインが有効化される。また、メダルは５０枚を限度にクレジット（貯留）することが可能になっている。
【００１９】
図２に示すように、筐体１０ａ内には、メイン基板２５、リールユニット２６、電源ボックス２７、貯留タンク２８等が設けられている。メイン基板２５は、透明なプラスチックで形成された基板ケースに封入されて開放不能となっている。これにより、メイン基板２５に不正な改造が施されることを防止している。リールユニット２６は、第１〜第３リール１３ａ〜１３ｃと図示しない各リールに対応したステッピングモータ、バックランプ、第１〜第３リール１３ａ〜１３ｃの回転角を検出するフォトセンサ等が組み込まれて構成されている。バックランプは第１〜第３リール１３ａ〜１３ｃの内側で、縦方向に３個ずつ配置されており、遊技を行った結果、入賞有効ライン上に当選絵柄が３つ並んで、ビックボーナス（ＢＢ）又はレギュラーボーナス（ＲＢ）が入賞した場合には、表示窓１１に停止表示された当選絵柄を予め設定された特定のパターンで点灯、消灯、点滅させ、遊技者にＢＢ又はＲＢに当選したことを報知する。なお、バックランプの照明による報知は、ＢＢ又はＲＢ以外の当選役が当選されたことの報知や特定の当選役に当選した可能性を示唆する報知などを行うようにしてもよい。
【００２０】
電源ボックス２７には、電源スイッチ３０、設定変更ボタン３１が設けられている。電源ボタン３０は、スロットマシン１０の電源のオン／オフが行われ、設定変更ボタン３１は、６段階のペイアウト率が設定されており、１プッシュごとに順次に可変される。
【００２１】
貯留タンク２８では、メダル投入口２０から投入されたメダルが貯留される。さらに、遊技を行ってメダルの払い出しを伴う当選役が入賞した場合には、図示しない払出しモータが駆動されて、当選役の種類に応じた枚数のメダルがメダル出口２８ａから払出し口２２に送り出され、メダルが払い出される。さらに、前面扉１２の裏には、メダル投入口２０の下方にメダルセレクター３２及びメダル案内部材３３が設けられている。
【００２２】
図３にも示すように、メダルセレクター３２は、本体基部４０、振分装置４１、上流側通過検出センサ４２から構成されている。本体基部４０は樹脂で形成されている。本体基部４０には、メダル４３の直径よりも幅がやや広い溝からなる第１メダル通路４４が形成されている。メダルセレクター３２が前面扉１２に取り付けられると、第１メダル通路４４のメダル入口４４ａはメダル投入口２０と連通するようになっており、メダル投入口２０から投入されたメダル４３はメダル入口４４ａから第１メダル通路４４内に侵入する。第１メダル通路４４は、略Ｌ字形に屈曲するように形成されており、メダル入口４４ａから第１メダル通路４４に侵入したメダル４３は、第１メダル通路４４の屈曲した部分を通過すると、その進行方向がメダル４３が第１メダル通路４４内に侵入した方向（図中矢印Ａに示す方向）と略直交した方向（図中矢印Ｂに示す方向）に変化するようになっている。
【００２３】
本体基部４０の第１メダル通路４４が形成されている面で、メダル入口４４ａから見て第１メダル通路４４の屈曲した部分よりも下流側の第１メダル通路４４（図中矢印Ｂに示す方向にメダル４３が進行する部分）の上方には、振分装置取付部４０ｂが設けられている。振分装置取付部４０ｂは、本体基部４０に形成された略矩形状で凹状の溝からなり、この溝を取り囲む壁面のうちの第１メダル通路４４に臨む壁面は一部が開放されている。振分装置取付部４０ｂには振分装置４１が設けられている。
【００２４】
振分装置４１は、本体基部４０に取り付けられる取り付け板４１ａ、取り付け板４１ｂに図中矢印Ｃに示す方向に回動自在に取り付けられる回動板４１ｂ、本体基部４０に取り付けられている回動板４１ｂに励磁作用を与えるソレノイド（図示せず）及び回動板４１ｂを付勢するバネ（図示せず）から構成されている。
【００２５】
取り付け板４１ａ及び回動板４１ｂは、金属製の薄板で形成されている。取り付け板４１ａは矩形状に形成されており、本体基部４０の振分装置取付部４０ｂの底面と直交して突出するように本体基部４０に取り付けられている。回動板４１ｂは略Ｔ字状に形成されており、取り付け板４１ａと直交して本体基部４０の外周面と対面するように取り付け板４１ａに取り付けられている。回動板４１ｂが取り付け板４１ａに取り付けられると、回動板４１ｂの幅が広い部分であるメダル振り分け部４１ｃの本体基部４０と対面する面と本体基部４０の外周面とが１枚のメダル４３が通過可能な隙間を形成するとともに、メダル振り分け部４１ｃの一部が、振分装置取付部４０ｂの前述した開放部分から第１メダル通路４４内に侵入した状態となる。メダル振り分け部４１ｃが第１メダル通路４４内に侵入した状態では、メダル振り分け部４１ｃの端縁と第１メダル通路４４のメダル４３の接触面４４ｂとの距離が、メダル４３の直径よりも小さくなるように、回動板４１ｂが取り付けられている。
【００２６】
これにより、メダル４３が正規の大きさの場合は、メダル振り分け部４１ｃが第１メダル通路４４におけるメダル４３の転動方向を規制するため、メダル４３は第１メダル通路４４を通過するが、メダル４３が正規の大きさでない場合は、メダル振り分け部４１ｃが第１メダル通路４４におけるメダル４３の転動方向を規制しないため、メダル４３が図中矢印Ｄに示す方向に落下して図２に示す通路カバー３４と本体基部４０の間から払出しシュート３５を介して払出し口２２に排出される。
【００２７】
また、回動板４１ｂは、前述したソレノイドの励磁作用とバネの復元力によって、取り付け板４１ｂとの取付部分に設けられた軸を支点に、メダル４３の通過を可能にする通過位置と、第１メダル通路４４からメダル４３を図中矢印Ｄに示す方向に落下させる排出位置の間で回動される。
【００２８】
メダル４３が投入されると、ソレノイドによる励磁作用が働くことで、回動板４１ｂは第１メダル通路４４の外周面に向かう方向に付勢されて通過位置にセットされる。これにより、メダル４３が正規の大きさであれば、メダル４３は第１メダル通路４４を通過する。
【００２９】
また、メダル４３が貯留されている枚数が５０枚に達している場合や、遊技を行っている最中（スタートレバー１８を操作して第１〜第３リール１４ａ〜１４ｃが回転してから、全ての第１〜第３リール１４ａ〜１４ｃが停止されるまでの状態）などにはソレノイドの励磁作用が断たれ、回動板４１ｂはバネの復元力によって通過位置から排出位置にセットされる。これにより、メダル４３は、図中矢印Ｄに示す方向に落下して、通路カバー３４と本体基部４０の間から払出しシュート３５を介して払出し口２２から払い出される。なお、第１メダル通路４４の回動板４１ｂが設けられている箇所以外の部分は、通路カバー３４によって塞がれているために、投入されたメダル４３が第１メダル通路４４から脱落することはない。
【００３０】
上流側通過検出センサ４２は、第１メダル通路４４の上方側の端部に配置されており、第１メダル通路４４を転動してきたメダル４３を検出する。上流側通過検出センサ４２は、第１メダルセンサ４２ａ及び第２メダルセンサ４２ｂから構成されている。
【００３１】
第１及び第２メダルセンサ４２ａ，４２ｂは、例えば、投光部と受光部とを一体に備えた反射型の光電センサであって、第１メダル通路４４内の本体基部４０の外周面に取り付けられている。第１及び第２メダルセンサ４２ａ，４２ｂは、メダル４３の進行方向に沿って上流側に第１メダルセンサ４２ａ、下流側に第２メダルセンサ４２ｂが配置されている。
【００３２】
メダル４３が、第１メダルセンサ４２ａや第２メダルセンサ４２ｂを通過した場合（メダル４３が、第１メダルセンサ４２ａや第２メダルセンサ４２ｂの投光部の光路を遮蔽した状態）には、各センサの投光部から投光した光がメダル４３で反射し、反射した光が受光部で受光され、各センサはオンとなる。これにより、メダル４３の検出が開始される。また、メダル４３が、第１メダルセンサ４２ａや第２メダルセンサ４２ｂを通過していない場合（メダル４３が第１メダルセンサ４２ａや第２メダルセンサ４２ｂの投光部の光路を遮蔽していない状態）には、各センサの投光部から投光した光が反射されないため、各センサはオフとなる。これにより、メダル４３の検出が終了される。
【００３３】
なお、第１及び第２メダルセンサ４２ａ，４２ｂは、メダル４３が第１メダル通路４４を転動する際に、必ず第１及び第２メダルセンサ４２ａ，４２ｂによって１枚のメダル４３を同時に検出できる間隔となるように配置されており、さらに、メダル４３が連続投入（複数枚のメダル４３が連なって第１メダル通路４４を通過するようにメダル投入口２０からメダル４３が投入された状態）された場合にも、１枚のメダル４３を第１及び第２メダルセンサ４２ａ，４２ｂで同時に検出した後に、必ず第１及び第２メダルセンサ４２ａ，４２ｂが一度はオフになってから次のメダル４３を検出できるような位置に配置されている。
【００３４】
メダルセレクター３２の側方には、メダル案内部材３３が隣接して配置されている。第１メダル通路４４を転動してきたメダル４３はメダル案内部材３３によって貯留タンク２８に導かれる。
【００３５】
メダル案内部材３３にはその断面を略コの字形状とした溝からなる第２メダル通路５１が形成されている。第２メダル通路５１は第１メダル通路４４とともに案内通路を構成する。メダル案内部材３３はメダルセレクター３２に隣接して配置されているため、第２メダル通路５１は第１メダル通路４４と連通する。このため、第１メダル通路４４を転動してきたメダル４３は第２メダル通路５１に侵入する。
【００３６】
メダル案内部材３３は第１メダル通路４４内を図中矢印Ｂ方向に転動するメダル４３が第２メダル通路５１でスロットマシン１０の背面側に向かう方向（図中矢印Ｅ方向）に進行方向を変更するように、屈曲して形成されている。そして、前面扉１２が閉じられると、第２メダル通路５１のメダル出口５１ａは貯留タンク２８の上方に位置するようにメダル案内部材３３の長さが設定されている。また、第２メダル通路５１は第１メダル通路４４からメダル４３が侵入する方の端部からメダル出口５１ａにかけて下方に傾斜しており、第１メダル通路４４から第２メダル通路５１に侵入したメダル４３はその傾斜によって第２メダル通路５１を転動する。
【００３７】
メダル案内部材３３には下流側通過検出センサ５２が設けられている。下流側通過検出センサ５２は、第２メダル通路５１の下方側の端部に位置するように配置されている。第２メダル通路５１は第１メダル通路４４とともに案内通路を構成しているため、結果的に上流側通過検出センサ４２と下流側通過検出センサ５２とは、案内通路の幅方向において反対側の端部に位置するように配置されていることとなる。下流側通過検出センサ５２は、第３メダルセンサ５２ａと第４メダルセンサ５２ｂとから構成されている。第３及び第４メダルセンサ５２ａ，５２ｂは、メダル４３の進行方向に沿って上流側に第３メダルセンサ５２ａ、下流側に第４メダルセンサ５２ｂが配置されている。第３及び第４メダルセンサ５２ａ，５２ｂには、第１及び第２メダルセンサ５１ａ，５１ｂと同様に反射型の光電センサが用いられ、第１及び第２メダルセンサ５１ａ，５１ｂと同様の方法でメダル４３を検出する。詳しくは後述するように、第１及び第２メダルセンサ４２ａ，４２ｂと第３及び第４メダルセンサ５２ａ，５２ｂとのメダル４３の検出信号に基づいて、メダル４３の各センサの通過順序が検出される。
【００３８】
図４はスロットマシン１０の電気的構成を示すブロック図である。スロットマシン１０には、このスロットマシン１０の基本的な動作を制御する制御部６０が設けられている。制御部６０は、ＣＰＵ（フラグ記録手段）６１と、このＣＰＵ６１が処理するデータが格納されたメモリ６２、メダルカウンタ６３、クレジット記憶部６４、フラグ記憶部（フラグデータ記憶手段）６５などが設けられている。
【００３９】
第１及び第２メダルセンサ４２ａ，４２ｂが第１メダル通路４４を転動するメダル４３を検出すると、検出信号がＣＰＵ６１に入力される。メダルカウンタ６３は、第１及び第２メダルセンサ４２ａ，４２ｂから検出信号が入力されると作動され、投入されたメダル４３の枚数を計数する。ＣＰＵ６１は、第１メダルセンサ４２ａがオン→第１及び第２メダルセンサ４２ａ，４２ｂが同時にオン→第１メダルセンサ４２ａがオフ→第２メダルセンサ４２ｂがオフの順で各センサのオン又はオフを検出すると、メダルカウンタ６３のカウント値をメダル１枚分カウントアップする。そして、メダルカウンタ６３によって計数された枚数はクレジット記憶部６４に入力される。クレジット記憶部６４は入力されたメダル４３の枚数を積算して記憶していく。なお、メダル４３が連続投入された場合も、第１及び第２メダルセンサ４２ａ，４２ｂによってメダル４３が１枚ずつ検出される。
【００４０】
第３及び第４メダルセンサ５２ａ，５２ｂからは、メダル４３の検出信号がＣＰＵ６１に入力される。
【００４１】
図５に示すように、上流側通過検出センサ４２及び下流側通過検出センサ５２を１枚のメダル４３が通過した場合、第２メダルセンサ４２ｂがオフになって第２メダルセンサ４２ｂによるメダル４３の検出が終了すると、ＣＰＵ６１はフラグデータをフラグ記憶部６５に書き込む。また、第３メダルセンサ５２ａがオンになって第３メダルセンサ５２ａによるメダル４３の検出が開始されると、ＣＰＵ６１はフラグ記憶部６５に記録されているフラグデータを消去する。このため、第２メダルセンサ４２ｂがオフになったときには、ＣＰＵ６１はフラグ記憶部６５を参照し、フラグ記憶部６５にフラグデータが記録されているか否かを判定する。そして、フラグ記憶部６５にフラグデータが記録されていない場合には、正常な状態とし、フラグ記憶部６５にフラグデータが記録されている場合には、エラーとしてエラー処理を行う。エラー処理では、エラーの種類の報知がなされるとともに、遊技を行うことが不可能な状態とされる。この構成により、セルロイド板などをメダル投入口２０より第１メダル通路４４に挿入し、第１及び第２センサ４１ａ，４１ｂを順次に遮蔽した後に、第１センサ４１ａの光路を開放し、次に第２センサ４１ｂの光路を開放させることによってメダルの投入を行うゴト行為が繰り返し行われても、フラグ記憶部６５のフラグデータが消去されないとエラーとなるため、確実にゴト行為を防止することができる。
【００４２】
第１メダル通路４４及び第２メダル通路５１を複数枚のメダル４３が連なって通過するようにメダル投入口２０からメダル４３が投入された場合、後続して投入されたメダル４３の第２メダルセンサ４２ｂによる検出が終了（第２メダルセンサ４２ｂがオフになること）する前に、先行して投入されたメダル４３の第３メダルセンサ５２ａによる検出が開始（第３メダルセンサ５２ａがオンになること）されるように第２メダルセンサ４２ｂ及び第３メダルセンサ５２ａは配置されている。これにより、メダル４３が連続投入されても、先行して投入されたメダル４３に対するフラグデータが消去される前に、後続して投入されたメダル４３に対するフラグデータが書き込みが行われてエラーとなることを防ぐことができる。
【００４３】
なお、フラグ記憶部６５に記録されているフラグデータを消去するタイミングとしては、第３メダルセンサ５２ａがオンになるときに限らず、第３メダルセンサ５２ａによるメダル４３の検出が終了（第３メダルセンサ５２ａがオフになること）されるとき、第４メダルセンサ５２ｂによる検出が開始（第４メダルセンサ５２ｂがオンになること）されるとき、第３メダルセンサ５２ａによるメダル４３の検出が終了（第３メダルセンサ５２ａがオフになること）されるときのいずれかのタイミング又はこれら４回のタイミングのうちから適宜に選択した複数回のタイミングにするなど、第２メダルセンサ４２ｂがオフになる前であれば適宜に設定してよい。また、下流側通過検出センサ５２を構成するセンサの個数は適宜の個数にしてよい。
【００４４】
ＣＰＵ６１は、第１及び第２メダルセンサ４２ａ，４２ｂ、第３及び第４メダルセンサ５２ａ，５２ｂからのメダル４３の検出信号に基づいて、図６〜図１７に示すような複数種類のエラーを検出し、エラーを検出した場合にはエラー処理を行っている。
【００４５】
図６に示すように、第１及び第２メダルセンサ４２ａ，４２ｂが継続して１００ｍｓ以上オンとなった場合、すなわち、メダル４３を１００ｍｓ以上検出し続けた場合はメダル４３が第１メダル通路４２又は第２メダル通路５１のいずれかで詰まっていることを示す「メダル詰まりエラー」を検出し、エラー処理を行う。
【００４６】
図７に示すように、第２メダルセンサ４２ｂがオンになる前に第１メダルセンサ４２ａがオフになった場合は、メダル４３が正規の順序で各センサの投光した光を遮蔽しなかったことを示す「メダル通過順序エラー」を検出し、エラー処理を行う。「メダル通過順序エラー」はゴト行為が行われたときに起こるエラーであるため、「メダル通過順序エラー」を検出することはゴト行為が行われているか否かの判定ともなる。
【００４７】
また、図８に示すような、第１メダルセンサ４２ａがオフになる前に第２メダルセンサ４２ｂがオフになった場合もメダル通過順序エラー」を検出し、エラー処理を行う。
【００４８】
また、図９に示すような、第２メダルセンサ４２ｂが第１メダルセンサ４２ａよりも先にオンになった場合も「メダル通過順序エラー」を検出し、エラー処理を行う。
【００４９】
また、図１０に示すような、第１メダルセンサ４２ａと第２メダルセンサ４２ｂとが同時にオンになった場合も「メダル通過順序エラー」を検出し、エラー処理を行う。
【００５０】
また、図１１に示すような、第１メダルセンサ４２ａと第２メダルセンサ４２ｂとが同時にオンになった場合も「メダル通過順序エラー」を検出し、エラー処理を行う。
【００５１】
また、図１２に示すように、第４メダルセンサ５２ｂがオンになる前に第３メダルセンサ５２ａがオフになった場合も「メダル通過順序エラー」を検出し、エラー処理を行う。
【００５２】
また、図１３に示すような、第３メダルセンサ５２ａがオフになる前に第４メダルセンサ５２ｂがオフになった場合もメダル通過順序エラー」を検出し、エラー処理を行う。
【００５３】
また、図１４に示すような、第４メダルセンサ５２ｂが第３メダルセンサ５２ａよりも先にオンになった場合も「メダル通過順序エラー」を検出し、エラー処理を行う。
【００５４】
また、図１５に示すような、第３メダルセンサ５２ａと第４メダルセンサ５２ｂとが同時にオンになった場合も「メダル通過順序エラー」を検出し、エラー処理を行う。
【００５５】
また、図１６に示すような、第３メダルセンサ５２ａと第４メダルセンサ５２ｂとが同時にオンになった場合も「メダル通過順序エラー」を検出し、エラー処理を行う。
【００５６】
また、図１７に示すような、第３及び第４メダルセンサ５２ａ，５２ｂがオンにならずに第１及び第２メダルセンサ４２ａ，４２ｂが再びオンになった場合も「メダル通過順序エラー」を検出し、エラー処理を行う。
【００５７】
スタートレバー１８が押下されると、ＣＰＵ６１に遊技の開始を示す遊技開始信号が送信される。これに応答してＣＰＵ６１はリール駆動コントローラ６６を作動し、リールユニット２６の第１〜第３リール１３ａ〜１３ｃを回転させることで遊技を開始する。遊技者がストップボタン１７ａ〜１７ｃを押下すると、ＣＰＵ６１及びリール駆動コントローラ６６は第１〜第３リール１３ａ〜１３ｃの停止制御を行う。
【００５８】
ペイアウトボタン１９は、クレジット記憶部６４に記憶されたメダル４３を払い出すものである。メダルカウンタ６３で計数され、クレジット記憶部６４にメダル４３が記憶されている状態で、ペイアウトボタン１９が押下されると、ＣＰＵ６１は払出し部６７に信号を送り、クレジット記憶部６４に記憶されているメダル枚数が、すべて貯留タンク２８から払出し口２２に払い出される。
【００５９】
次に、上記構成のスロットマシンの作用について、図１８のフローチャートを用いて説明を行う。メダル投入口２０からメダル４３を投入すると、投入されたメダル４３が第１メダル通路４４を転動する。第１メダル通路４４を転動するメダル４３は第１及び第２メダルセンサ４２ａ，４２ｂによって検出される。ＣＰＵ６１は、第１及び第２メダルセンサ４２ａ，４２ｂからの検出信号に基づいてエラーの検出を行う。「メダル詰まりエラー」及び「メダル通過順序エラー」が検出された場合はＣＰＵ６１はエラー処理を行う。
【００６０】
ＣＰＵ６１によって「メダル詰まりエラー」及び「メダル通過順序エラー」が検出されなかった場合は、第２メダルセンサ４２ｂがオフになったときに、ＣＰＵ６１はフラグ記憶部６５を参照する。フラグ記憶部６５にフラグデータが書き込まれている場合には、ＣＰＵ６１はエラー処理を行い、遊技を行うことが不可能な状態にする。
【００６１】
フラグ記憶部６５にフラグデータが書き込まれていない場合には、ＣＰＵ６１はフラグデータをフラグ記憶部６５に書き込む。この後、ＣＰＵ６１はメダルカウンタ６３を作動し、投入されたメダル４３の枚数をカウントさせるとともに、カウントされた枚数をクレジット記憶部６４に書き込む。
【００６２】
投入されたメダル４３は、第１メダル通路４４を通過して第２メダル通路４２に転動し、第２メダル通路４２で第３及び第４メダルセンサ５２ａ，５２ｂによって検出される。ＣＰＵ６１は、第３及び第４メダルセンサ５２ａ，５２ｂからの検出信号に基づいてエラーの検出を行う。「メダル通過順序エラー」が検出された場合はＣＰＵ６１はエラー処理を行う。
【００６３】
「メダル通過順序エラー」が検出されなかった場合は、第３メダルセンサ５２ａがオンになったときに、ＣＰＵ６１はフラグ記憶部６５に書き込まれているフラグデータを消去し、ストップボタン１７ａ〜１７ｃを有効化して遊技を行うことが可能な状態（遊技の有効化）する。
【００６４】
上記実施形態では、上流側通過検出センサ４２をメダルセレクター３２に設け、下流側通過検出センサ５２をメダル案内部材３３に設けたが、上流側通過検出センサ４２及び下流側通過検出センサ５２は、メダルセレクター３２又はメダル案内部材３３のいずれか一方に設けてもよい。
【図面の簡単な説明】
【００６５】
【図１】本発明のスロットマシンの外観を示す斜視図である。
【図２】スロットマシンに内部を示す斜視図である。
【図３】スロットマシンに設けられたメダルセレクタの説明図である。
【図４】スロットマシンの電気的構成を示すブロック図である。
【図５】第１〜第４メダルセンサでメダルを検出するときの各センサから検出信号を受信するタイミングを示すタイミングチャートである。
【図６】メダル詰まりエラーを検出したときの、第１，２メダルセンサから検出信号を受信するタイミングチャートである。
【図７】メダル通過順序エラーを検出したときの、第１，２メダルセンサから検出信号を受信するタイミングチャートである。
【図８】メダル通過順序エラーを検出したときの、第１，２メダルセンサから検出信号を受信するタイミングチャートである。
【図９】メダル通過順序エラーを検出したときの、第１，２メダルセンサから検出信号を受信するタイミングチャートである。
【図１０】メダル通過順序エラーを検出したときの、第１，２メダルセンサから検出信号を受信するタイミングチャートである。
【図１１】メダル通過順序エラーを検出したときの、第１，２メダルセンサから検出信号を受信するタイミングチャートである。
【図１２】メダル通過順序エラーを検出したときの、第３，４メダルセンサから検出信号を受信するタイミングチャートである。
【図１３】メダル通過順序エラーを検出したときの、第３，４メダルセンサから検出信号を受信するタイミングチャートである。
【図１４】メダル通過順序エラーを検出したときの、第３，４メダルセンサから検出信号を受信するタイミングチャートである。
【図１５】メダル通過順序エラーを検出したときの、第３，４メダルセンサから検出信号を受信するタイミングチャートである。
【図１６】メダル通過順序エラーを検出したときの、第３，４メダルセンサから検出信号を受信するタイミングチャートである。
【図１７】メダル通過順序エラーを検出したときの、第３，４メダルセンサから検出信号を受信するタイミングチャートである。
【図１８】メダルが投入されたときの処理を行う手順を示すフローチャートである。
【符号の説明】
【００６６】
１０  スロットマシン
２０  メダル投入口
２８  貯留タンク
３２  メダルセレクター
３３  メダル案内部材
４２  上流通過検出センサ
４２ａ  第１メダルセンサ
４２ｂ  第２メダルセンサ
４４  第１メダル通路
５１  第２メダル通路  
５２  下流通過検出センサ
５２ａ  第３メダルセンサ
５２ｂ  第４メダルセンサ
６１  ＣＰＵ
６４  フラグ記憶部
【図１】
2005177315.tif 000003
【図２】
2005177315.tif 000004
【図３】
2005177315.tif 000005
【図４】
2005177315.tif 000006
【図５】
2005177315.tif 000007
【図６】
2005177315.tif 000008
【図７】
2005177315.tif 000009
【図８】
2005177315.tif 000010
【図９】
2005177315.tif 000011
【図１０】
2005177315.tif 000012
【図１１】
2005177315.tif 000013
【図１２】
2005177315.tif 000014
【図１３】
2005177315.tif 000015
【図１４】
2005177315.tif 000016
【図１５】
2005177315.tif 000017
【図１６】
2005177315.tif 000018
【図１７】
2005177315.tif 000019
【図１８】
2005177315.tif 000020